(57)【要約】【課題】改善されたトリガー式噴出容器を提供する。【解決手段】トリガー式噴出容器１は、容器本体２と、噴出器３と、ノズルカバー４とを備え、噴出器３は、ベース部材５と、ベース部材５に対して第１方向Ｄ１及び第１方向Ｄ１と反対方向である第２方向Ｄ２に移動可能な作動部材６と、トリガー７と、トリガー７の揺動によって作動部材６を第２方向Ｄ２に移動させるように、トリガー７と作動部材６とを連係させる連係部８とを有し、作動部材６は、トリガー７の揺動によって第１方向Ｄ１に内容液を噴出可能な噴出口６ａが形成されたノズル６ｂを有し、ノズルカバー４は、噴出口６ａを被覆可能な被覆部２７と、作動部材６の第２方向Ｄ２への移動を阻止可能なストッパ部２８ａとを有する。【選択図】図１
2018203270.tif 000002
【特許請求の範囲】
【請求項１】
内容液を収容する容器本体と、
前記容器本体に装着された噴出器と、
前記噴出器に着脱可能なノズルカバーとを備え、
前記噴出器は、前記容器本体に装着されたベース部材と、前記ベース部材に対して第１方向及び前記第１方向と反対方向である第２方向に移動可能な作動部材と、前記ベース部材に揺動可能に支持されたトリガーと、前記トリガーの揺動によって前記作動部材を前記第２方向に移動させるように、前記トリガーと前記作動部材とを連係させる連係部とを有し、
前記作動部材は、前記トリガーの揺動によって前記第１方向に前記内容液を噴出可能な噴出口が形成されたノズルを有し、
前記ノズルカバーは、前記噴出口を被覆可能な被覆部と、前記作動部材の前記第２方向への移動を阻止可能なストッパ部とを有する、
トリガー式噴出容器。
【請求項２】
前記ストッパ部は、前記ベース部材と前記作動部材との間又は前記ベース部材と前記トリガーとの間に挟み込まれることで、前記作動部材の前記第２方向への移動を阻止可能である、請求項１に記載のトリガー式噴出容器。
【請求項３】
前記連係部は、前記作動部材又は前記トリガーに設けられた凸部からなる係合凸部を有し、
前記ストッパ部は、前記ベース部材と前記係合凸部との間に挟み込まれることで、前記作動部材の前記第２方向への移動を阻止可能である、請求項１又は２に記載のトリガー式噴出容器。
【請求項４】
前記ノズルカバーは、筒状の周壁部と、前記周壁部の一端を閉塞するとともに前記被覆部を構成する閉塞壁部とを有し、
前記周壁部には、切欠きが形成されており、
前記切欠きは、前記周壁部の他端から前記周壁部の軸方向に延びるとともに前記係合凸部を導入可能な第１部分と、前記第１部分から前記周壁部の周方向に延びるとともに前記係合凸部を導入可能な第２部分とを有し、
前記切欠きの前記第２部分と前記周壁部の前記他端との間の部分によって前記ストッパ部が構成されている、請求項３に記載のトリガー式噴出容器。
【請求項５】
前記連係部は、前記係合凸部からなる第１係合凸部と、前記作動部材又は前記トリガーに設けられた凸部からなる第２係合凸部とを有し、
前記周壁部には、前記切欠きからなる第１切欠きと、第２切欠きとが形成されており、
前記第２切欠きは、前記周壁部の前記他端から前記周壁部の前記軸方向に延びるとともに前記第２係合凸部を導入可能な第１部分と、当該第１部分から前記周壁部の前記周方向に延びるとともに前記第２係合凸部を導入可能な第２部分とを有し、
前記第１切欠きの前記第２部分と前記周壁部の前記他端との間の部分によって前記ストッパ部からなる第１ストッパ部が構成されており、
前記第２切欠きの前記第２部分と前記周壁部の前記他端との間の部分によって、前記ベース部材と前記第２係合凸部との間に挟み込まれることで前記作動部材の前記第２方向への移動を阻止可能な第２ストッパ部が構成されている、請求項４に記載のトリガー式噴出容器。
【請求項６】
前記ノズルカバーは、前記閉塞壁部から外側に突出する摘み片を有する、請求項４又は５に記載のトリガー式噴出容器。
【発明の詳細な説明】
【技術分野】
【０００１】
本開示は、トリガー式噴出容器に関する。
【背景技術】
【０００２】
トリガーの操作によって作動部材をベース部材に対して移動させ、ポンプ機能を発揮させることで、作動部材の噴出口から内容液を噴出可能なトリガー式噴出容器が知られている。このようなトリガー式噴出容器は、例えば特許文献１に記載されるように、ベース部材とトリガーとの間に挟み込まれることで、ベース部材に対する作動部材の移動を阻止可能なストッパを備える場合がある。
【先行技術文献】
【特許文献】
【０００３】
【特許文献１】特開２０１１−２５１２１９号公報
【発明の概要】
【発明が解決しようとする課題】
【０００４】
特許文献１に記載されるようなトリガー式噴出容器は、改善の余地がある。
【０００５】
本開示の目的は、改善されたトリガー式噴出容器を提供することにある。
【課題を解決するための手段】
【０００６】
トリガー式噴出容器の一態様は、内容液を収容する容器本体と、前記容器本体に装着された噴出器と、前記噴出器に着脱可能なノズルカバーとを備える。前記噴出器は、前記容器本体に装着されたベース部材と、前記ベース部材に対して第１方向及び前記第１方向と反対方向である第２方向に移動可能な作動部材と、前記ベース部材に揺動可能に支持されたトリガーと、前記トリガーの揺動によって前記作動部材を前記第２方向に移動させるように、前記トリガーと前記作動部材とを連係させる連係部とを有する。前記作動部材は、前記トリガーの揺動によって前記第１方向に前記内容液を噴出可能な噴出口が形成されたノズルを有する。前記ノズルカバーは、前記噴出口を被覆可能な被覆部と、前記作動部材の前記第２方向への移動を阻止可能なストッパ部とを有する。
【発明の効果】
【０００７】
本開示によれば、改善されたトリガー式噴出容器を提供することができる。
【図面の簡単な説明】
【０００８】
【図１】一実施形態に係るトリガー式噴出容器を、ノズルカバーの装着状態で示す部分断面側面図である。
【図２Ａ】図１に示すノズルカバーを、図２ＤのＡ−Ａ線に沿って示す部分断面側面図である。
【図２Ｂ】図２Ａに示すノズルカバーの上面図である。
【図２Ｃ】図２Ａに示すノズルカバーの底面図である。
【図２Ｄ】図２Ａに示すノズルカバーを９０°ずれた方向から視た側面図である。
【図３Ａ】図１に示すトリガー式噴出容器を、ノズルカバーの装着状態で示す側面図である。
【図３Ｂ】図３Ａに示すトリガー式噴出容器の上面図である。
【図４】図３Ａに示す状態からノズルカバーを周方向に捩じったときの状態を示す側面図である。
【図５】図４に示す状態からノズルカバーを引き抜くときの状態を示す側面図である。
【図６】図５に示す状態からノズルカバーを除去してトリガーを操作し、内容液を噴出させたときの状態を示す側面図である。
【発明を実施するための形態】
【０００９】
以下、図１乃至図６を参照して、一実施形態に係るトリガー式噴出容器１について詳細に例示説明する。本実施形態において、上方とは、ベース部材に対して作動部材が突き出す方向に移動するときの作動部材の移動方向である第１方向Ｄ１（図１における下から上に向かう方向）を意味し、下方とは、その反対方向である第２方向Ｄ２（図１における上から下に向かう方向）を意味する。
【００１０】
図１に示すように、本実施形態に係るトリガー式噴出容器１（以下、噴出容器１ともいう）は、内容液を収容する容器本体２と、容器本体２に装着された噴出器３と、噴出器３に着脱可能なノズルカバー４とを備えている。内容液は、例えば、制汗剤又は身体用保湿化粧水などの身体用液体であってよいが、これに限られない。容器本体２は、本実施形態では、内容液の収容空間に連なる開口を形成する筒状（円筒状）の口部２ａと、口部２ａに連なるとともに口部２ａよりも幅が拡大した胴部２ｂと、胴部２ｂに連なる底部（図示省略）とを有している。本実施形態では、噴出容器１は、容器本体２の底部を水平面に載置することで起立し、ノズルが鉛直方向における上方を向くように構成されている。しかし、噴出容器１は、起立できない構成としてもよい。
【００１１】
噴出器３は、容器本体２に装着されたベース部材５を有している。噴出器３は、ベース部材５に対して第１方向Ｄ１及び第１方向Ｄ１と反対方向である第２方向Ｄ２に移動可能な作動部材６を有している。噴出器３は、ベース部材５に揺動可能に支持されたトリガー７を有している。噴出器３は、トリガー７の揺動によって作動部材６を第２方向Ｄ２に移動させるように、トリガー７と作動部材６とを連係させる連係部８を有している。作動部材６は、トリガー７の揺動によって第１方向Ｄ１に内容液を噴出可能な噴出口６ａが形成されたノズル６ｂを有している。このように、噴出器３は、ベース部材５に対する作動部材６の第１方向Ｄ１及び第２方向Ｄ２への移動によって容器本体２の内部から内容液を吸引し、噴出口６ａから噴出させるポンプ機能を有している。
【００１２】
ベース部材５は、本実施形態では、シリンダ部材９と、芯棒部材１０と、付勢部材（コイルばね）１１と、弁体（ボール弁）１２と、装着部材１３とを有している。シリンダ部材９は、筒状（円筒状）のシリンダ部９ａを有している。シリンダ部９ａの内側には、芯棒部材１０及び付勢部材１１が配置されている。弁体１２は、芯棒部材１０より下方においてシリンダ部材９に形成された弁座９ｂに配置されている。装着部材１３は、口部２ａにねじ部によって装着された筒状（円筒状）の装着部１３ａと、トリガー７を揺動可能に支持する支持部１３ｂと、作動部材６を貫通させる開口を形成する筒状（円筒状）の基筒部１３ｃとを有している。装着部１３ａは、口部２ａに例えば嵌合によって装着されるように構成してもよい。支持部１３ｂは、本実施形態では、互いに対向する第１支持壁１４ａと第２支持壁１４ｂ（図３ａＡ参照）とからなる一対の支持壁１４と、第１支持壁１４ａと第２支持壁１４ｂとを連結する連結支持壁１５（図１参照）とを有している。
【００１３】
作動部材６は、本実施形態では、ピストン部材１６と、外筒部材１７と、内筒部材１８と、ノズルチップ部材１９とを有している。ピストン部材１６は、シリンダ部９ａの内側を摺動可能なピストン部１６ａを有している。ピストン部材１６には、芯棒部材１０を貫通させる開口が形成されている。作動部材６（より具体的にはピストン部材１６）は、付勢部材１１によって第１方向Ｄ１に付勢されている。ピストン部材１６は、外筒部材１７の下端に嵌合している。外筒部材１７は、筒状（円筒状）をなしている。外筒部材１７は、先端側部分１７ａと、先端側部分１７ａに連なるとともに外径が先端側部分１７ａより拡径した基端側部分１７ｂとを有している。先端側部分１７ａの外表面と基端側部分１７ｂの外表面との境界には、円環状の段差面１７ｃが形成されている。外筒部材１７の内側には、筒状（円筒状）をなす内筒部材１８が嵌合している。外筒部材１７の上端には、ノズルチップ部材１９が嵌合している。ノズルチップ部材１９には、噴出口６ａが形成されている。作動部材６がベース部材５に対して第２方向Ｄ２に移動したとき、シリンダ部９ａ内に位置する内容液は、芯棒部材１０とピストン部材１６との間、芯棒部材１０と外筒部材１７との間、及び芯棒部材１０と内筒部材１８との間に形成された流路を通って、噴出口６ａから噴出する。作動部材６は、段差面１７ｃが基筒部１３ｃの上端面に当接するまで、第２方向Ｄ２に移動することができる。本実施形態では、外筒部材１７の先端側部分１７ａと内筒部材１８とノズルチップ部材１９とで、ノズル６ｂが構成されている。
【００１４】
トリガー７は、本実施形態では、互いに対向する第１側壁２０ａと第２側壁２０ｂ（図３ａＡ参照）とからなる一対の側壁２０と、第１側壁２０ａと第２側壁２０ｂとを連結する連結側壁２１（図１参照）とを有している。連結側壁２１には、作動部材６を貫通させる開口である窓部２２が形成されている。第１側壁２０ａには、開口からなる第１軸受部２３ａが形成されている。第１軸受部２３ａには、第１支持壁１４ａに設けられた略半円柱状をなす凸部からなる第１軸部２４ａが接続している。第１軸受部２３ａは、凹部からなっていてもよい。第１側壁２０ａに軸部を設けるとともに第１支持壁１４ａに軸受部を設けてもよい。第２側壁２０ｂには、開口からなる第２軸受部２３ｂ（図３Ａ参照）が形成されている。第２軸受部２３ｂには、第２支持壁１４ｂに設けられた略半円柱状をなす凸部からなる第２軸部２４ｂが接続している。第２軸受部２３ｂは、凹部からなっていてもよい。第２側壁２０ｂに軸部を設けるとともに第２支持壁１４ｂに軸受部を設けてもよい。第１軸部２４ａと第２軸部２４ｂとは、共通の中心軸線Ｏを有している。トリガー７は、作動部材６を挟んで中心軸線Ｏと反対側に位置する部分によって構成された操作部７ａを有している。トリガー７は、操作部７ａを牽曳する操作によって、中心軸線Ｏを中心として、ベース部材５に対して揺動することができる。
【００１５】
連係部８は、本実施形態では、作動部材６に設けられた凸部からなる第１係合凸部（係合凸部）２５ａ（図１参照）と、作動部材６に設けられた凸部からなる第２係合凸部２５ｂ（図３Ａ参照）とを有している。本実施形態では、第１係合凸部２５ａ及び第２係合凸部２５ｂは、それぞれ、外筒部材１７の先端側部分１７ａ（図１参照）に形成されている。連係部８は、第１係合凸部２５ａと係合する第１係合部２６ａと、第２係合凸部２５ｂと係合する第２係合部２６ｂ（図６参照）とを有している。第１係合部２６ａ及び第２係合部２６ｂは、それぞれ、トリガー７に設けられた凸部からなっている。第１係合部２６ａ及び第２係合部２６ｂは、それぞれ、トリガー７に設けられた凹部、開口又は切欠きからなっていてもよい。本実施形態では、第１係合部２６ａは第１側壁２０ａに設けられ、第２係合部２６ｂは第２側壁２０ｂに設けられている。本実施形態では、トリガー７が牽曳操作によって揺動することにより、第１係合部２６ａが第１係合凸部２５ａに係合するとともに第２係合凸部２５ｂが第２係合部２６ｂに係合して、作動部材６を第２方向Ｄ２に押し込むことができる。
【００１６】
ノズルカバー４は、図１に示すように、噴出口６ａを被覆可能な被覆部２７と、作動部材６の第２方向Ｄ２への移動を阻止可能な第１ストッパ部（ストッパ部）２８ａとを有している。被覆部２７は、ノズルカバー４をノズル６ｂに装着することで噴出口６ａを被覆可能である。第１ストッパ部２８ａは、ノズルカバー４をノズル６ｂに装着することで作動部材６の第２方向Ｄ２への移動を阻止可能である。第１ストッパ部２８ａは、被覆部２７と一体に設けられている。本実施形態では、第１ストッパ部２８ａは、ベース部材５（より具体的には、基筒部１３ｃの上端）と作動部材６（より具体的には、第１係合凸部２５ａ）との間に挟み込まれることで、作動部材６の第２方向Ｄ２への移動を阻止可能である。
【００１７】
ノズルカバー４は、本実施形態では、図２Ａ乃至図２Ｄに示すように、筒状（円筒状）の周壁部４ａと、周壁部４ａの一端を閉塞するとともに被覆部２７を構成する閉塞壁部４ｂとを有している。周壁部４ａには、第１切欠き（切欠き）２９ａが形成されている。第１切欠き２９ａは、周壁部４ａの他端から周壁部４ａの軸方向に延びるとともに第１係合凸部２５ａ（図１参照）を導入可能な第１部分３０ａ（図２Ａ参照）と、第１部分３０ａから周壁部４ａの周方向に延びるとともに第１係合凸部２５ａを導入可能な第２部分３１ａとを有している。第１切欠き２９ａの第２部分３１ａと周壁部４ａの他端との間の部分によって第１ストッパ部２８ａが構成されている。第２部分３１ａにおける第１部分３０ａとの接続部には、幅が狭まった第１絞り部３２ａが形成されている。第１係合凸部２５ａは、第１絞り部３２ａを弾性変形させることで、第１絞り部３２ａを乗り越え可能である。
【００１８】
本実施形態では、図２Ｃに示すように、周壁部４ａには、第１切欠き２９ａと第２切欠き２９ｂとからなる一対の切欠き２９が形成されている。しかし、第１切欠き２９ａと第２切欠き２９ｂとは、互いに異なる形状であってもよい。図３Ａに示すように、第２切欠き２９ｂは、周壁部４ａの他端から周壁部４ａの軸方向に延びるとともに第２係合凸部２５ｂを導入可能な第１部分３０ｂと、当該第１部分３０ｂから周壁部４ａの周方向に延びるとともに第２係合凸部２５ｂを導入可能な第２部分３１ｂとを有している。第２切欠き２９ｂの第２部分３１ｂと周壁部４ａの他端との間の部分によって、ベース部材５と第２係合凸部２５ｂとの間に挟み込まれることで作動部材６の第２方向Ｄ２への移動を阻止可能な第２ストッパ部２８ｂが構成されている。第２切欠き２９ｂの第２部分３１ｂにおける第１部分３０ｂとの接続部には、幅が狭まった第２絞り部３２ｂが形成されている。第２係合凸部２５ｂは、第２絞り部３２ｂを弾性変形させることで、第２絞り部３２ｂを乗り越え可能である。
【００１９】
本実施形態では、図２Ａ及び図２Ｂに示すように、ノズルカバー４は、閉塞壁部４ｂから外側に突出する摘み片４ｃを有している。摘み片４ｃは、閉塞壁部４ｂと直交する平板状をなしている。摘み片４ｃは、図１に示すように、ノズルカバー４の装着状態においてトリガー７の揺動軸線（中心軸線Ｏ）と直交する方向に向くように構成されている。
【００２０】
容器本体２、トリガー７、シリンダ部材９、芯棒部材１０、装着部材１３、ピストン部材１６、外筒部材１７、内筒部材１８、ノズルチップ部材１９及びノズルカバー４は、それぞれ、例えば合成樹脂製であってよい。
【００２１】
以上、説明した本実施形態に係るトリガー式噴出容器１によれば、図１に示すように、ノズルカバー４をノズル６ｂに装着することで、被覆部２７で噴出口６ａを覆って、埃などによる噴出口６ａの汚染を抑制できる（ノズルカバー機能）。しかも、第１ストッパ部２８ａ及び第２ストッパ部２８ｂ（図３Ａ参照）によって作動部材６の第２方向Ｄ２への移動を阻止できるため、内容液の意図しない噴出を防止するストッパ機能も発揮できる。
【００２２】
噴出容器１を使用する際には、ノズルカバー４の摘み片４ｃを摘んで捩じることで、第１係合凸部２５ａを第１切欠き２９ａの第２部分３１ａから第１部分３０ａへ脱出させるとともに、第２係合凸部２５ｂを第２切欠き２９ｂの第２部分３１ｂから第１部分３０ｂへ脱出させることができる（図４参照）。次いで、摘み片４ｃを摘んだまま引き上げることで、図５に示すように、第１係合凸部２５ａを第１切欠き２９ａの第１部分３０ａから脱出させるとともに、第２係合凸部２５ｂを第２切欠き２９ｂの第１部分３０ｂから脱出させることができる。このようにしてノズルカバー４をノズル６ｂから除去した後は、図６に示すように、トリガー７を牽曳操作して、ノズル６ｂの噴出口６ａから内容液を第１方向Ｄ１に噴出させることができる。
【００２３】
本実施形態では、トリガー７の牽曳操作時における操作部７ａの移動方向は、内容液が噴出する第１方向Ｄ１と略直交しているため、例えば内容液が身体用液体からなる場合などに、使用者がその身体に向けて容易に内容液を噴出させることができる。噴出容器１の使用後には、ノズルカバー４を除去したときと逆の手順によって、ノズルカバー４をノズル６ｂに装着することができる。
【００２４】
上記の説明は、一実施形態を示したものにすぎず、特許請求の範囲を限定するものではない。上記の実施形態は、本開示の基礎的事項に基づいて、種々の変更が可能である。
【００２５】
例えば、第１ストッパ部２８ａ及び／又は第２ストッパ部２８ｂは、ベース部材５とトリガー７との間に挟み込まれることで、作動部材６の第２方向Ｄ２への移動を阻止可能であってもよい。
【００２６】
連係部８は、トリガー７に設けられた凸部からなる第１係合凸部、及び／又はトリガー７に設けられた凸部からなる第２係合凸部を有していてもよい。この場合、第１ストッパ部２８ａは、ベース部材５と当該第１係合凸部との間に挟み込まれることで、作動部材６の第２方向Ｄ２への移動を阻止可能であってもよい。第２ストッパ部２８ｂは、ベース部材５と当該第２係合凸部との間に挟み込まれることで、作動部材６の第２方向Ｄ２への移動を阻止可能であってもよい。第１切欠き２９ａは、周壁部４ａの他端から周壁部４ａの軸方向に延びるとともに当該第１係合凸部を導入可能な第１部分と、当該第１部分から周壁部４ａの周方向に延びるとともに当該第１係合凸部を導入可能な第２部分とを有していてもよい。この場合、当該第２部分と周壁部４ａの他端との間の部分によって第１ストッパ部が構成される。第２切欠き２９ｂは、周壁部４ａの他端から周壁部４ａの軸方向に延びるとともに当該第２係合凸部を導入可能な第１部分と、当該第１部分から周壁部４ａの周方向に延びるとともに当該第２係合凸部を導入可能な第２部分とを有していてもよい。この場合、当該第２部分と周壁部４ａの他端との間の部分によって第２ストッパ部が構成される。
【００２７】
第２係合凸部２５ｂ、第２係合部２６ｂ、第２ストッパ部２８ｂ及び第２切欠き２９ｂを設けない構成としてもよい。
【符号の説明】
【００２８】
１  トリガー式噴出容器
２  容器本体
２ａ  口部
２ｂ  胴部
３  噴出器
４  ノズルカバー
４ａ  周壁部
４ｂ  閉塞壁部
４ｃ  摘み片
５  ベース部材
６  作動部材
６ａ  噴出口
６ｂ  ノズル
７  トリガー
７ａ  操作部
８  連係部
９  シリンダ部材
９ａ  シリンダ部
９ｂ  弁座
１０  芯棒部材
１１  付勢部材
１２  弁体
１３  装着部材
１３ａ  装着部
１３ｂ  支持部
１３ｃ  基筒部
１４  一対の支持壁
１４ａ  第１支持壁
１４ｂ  第２支持壁
１５  連結支持壁
１６  ピストン部材
１６ａ  ピストン部
１７  外筒部材
１７ａ  先端側部分
１７ｂ  基端側部分
１７ｃ  段差面
１８  内筒部材
１９  ノズルチップ部材
２０  一対の側壁
２０ａ  第１側壁
２０ｂ  第２側壁
２１  連結側壁
２２  窓部
２３ａ  第１軸受部
２３ｂ  第２軸受部
２４ａ  第１軸部
２４ｂ  第２軸部
２５ａ  第１係合凸部（係合凸部）
２５ｂ  第２係合凸部
２６ａ  第１係合部
２６ｂ  第２係合部
２７  被覆部
２８ａ  第１ストッパ部（ストッパ部）
２８ｂ  第２ストッパ部
２９  一対の切欠き
２９ａ  第１切欠き（切欠き）
２９ｂ  第２切欠き
３０ａ  第１切欠きの第１部分
３０ｂ  第２切欠きの第１部分
３１ａ  第１切欠きの第２部分
３１ｂ  第２切欠きの第２部分
３２ａ  第１絞り部
３２ｂ  第２絞り部
Ｄ１  第１方向
Ｄ２  第２方向
Ｏ  中心軸線
【図１】
2018203270.tif 000003
【図２Ａ】
2018203270.tif 000004
【図２Ｂ】
2018203270.tif 000005
【図２Ｃ】
2018203270.tif 000006
【図２Ｄ】
2018203270.tif 000007
【図３Ａ】
2018203270.tif 000008
【図３Ｂ】
2018203270.tif 000009
【図４】
2018203270.tif 000010
【図５】
2018203270.tif 000011
【図６】
2018203270.tif 000012